(57)【要約】【課題】  安定した定着性能が維持できる定着装置を提供することを目的とする。【解決手段】  加熱源９は、通電されることにより発熱する第１の加熱部材９１および第２の加熱部材９２とから形成する。第１の加熱部材９１は、加熱ローラ５１の軸方向における発熱量が、中央領域Ｌ１の発熱量よりも、端部領域Ｌ２の発熱量が多くなるように形成するとともに、第２の加熱部材９２は、加熱ローラ５１の軸方向における発熱量が、中央領域Ｌ１の発熱量よりも、端部領域Ｌ２の発熱量が少なくなるように形成し、第１の加熱部材９１および第２の加熱部材９２への通電は、制御手段により夫々独立して制御可能に構成するとともに、第２の加熱部材９２は、定着ニップに対して遠近移動が可能に構成する。【選択図】  図３
2006317707.tif 000002
【特許請求の範囲】
【請求項１】
回転可能に軸支された加熱ローラと、前記加熱ローラに対向して配設され、前記加熱ローラと共同して定着ニップを形成する回転可能な加圧ローラと、前記定着ニップ間に挟持搬送される被記録用紙に担持された未定着トナー像を定着させるため、前記加熱ローラの内部に配設され、当該加熱ローラを加熱する加熱源と、前記加熱源への通電を制御する制御手段と、を備えた定着装置において、
前記加熱源は、通電されることにより発熱する第１の加熱部材および第２の加熱部材からなるとともに、前記第１の加熱部材は、前記加熱ローラの軸方向における中央領域の発熱量よりも、前記軸方向における端部領域の発熱量が多くなるように形成されるとともに、前記第２の加熱部材は、前記軸方向における中央領域の発熱量よりも、前記軸方向における端部領域の発熱量が少なくなるように形成され、前記第１の加熱部材および前記第２の加熱部材への通電は、前記制御手段により夫々独立して制御されるとともに、前記第２の加熱部材は、前記定着ニップに対して遠近移動が可能であることを特徴とする定着装置。
【請求項２】
前記第２の加熱部材を、前記定着ニップに対して移動可能に支持する移動支持機構を更に備え、前記移動支持機構は、前記加熱ローラと同軸上に配設された回転支持軸と、当該回転支持軸に回転可能に軸支された回転支持具と、当該回転支持具を回転駆動する駆動源とから構成され、前記第２の加熱部材は、前記回転支持具に支持され、当該回転支持具の回転動作に連動して、前記第２の加熱部材が、前記回転支持軸を中心とする円周上を移動するように構成されていることを特徴とする請求項１に記載の定着装置。
【請求項３】
前記加熱ローラの温度を検知する温度検知部を更に備え、前記温度検知部は、前記軸方向の中央領域であって、前記加熱ローラと対向するように前記定着ニップと反対側に配設された第１の温度センサと、前記軸方向の中央領域であって、前記定着ニップの前記被記録用紙の搬送方向の上流側に配設された第２の温度センサと、前記軸方向の端部のいずれか一方であって、前記定着ニップの前記被記録用紙の搬送方向の上流側に配設された第３の温度センサとから構成され、前記制御手段は、前記温度検知部が検知した検知温度に基づいて、前記第２の加熱部材の定着ニップに対する配設位置を移動するよう前記移動支持機構を制御するとともに、前記第１の加熱部材および前記第２の加熱部材への通電を制御することを特徴とする請求項２に記載の定着装置。
【請求項４】
前記制御手段は、前記第３の温度センサにより検知した検知温度から、前記第２の温度センサにより検知した検知温度を減じ、当該減算した減算値に基づいて前記第２の加熱部材の定着ニップに対する配設位置と、前記第１の加熱部材および前記第２の加熱部材への通電を制御する制御温度とを決定するとともに、前記第１の温度センサにより検知した検知温度と、前記第２の温度センサにより検知した検知温度との平均値を求め、当該平均値が前記制御温度となるように、前記第１の加熱部材および前記第２の加熱部材への通電を制御することを特徴とする請求項３に記載の定着装置。
【請求項５】
請求項１乃至請求項４のいずれかに記載の定着装置を備えていることを特徴とする画像形成装置。
【発明の詳細な説明】
【技術分野】
【０００１】
本発明は、複写機、プリンタ、ファクシミリなどの定着装置において、特に未定着トナー像を被記録用紙に加熱定着する加熱ローラを有する定着装置、およびこの定着装置を備えた画像形成装置に関する。
【背景技術】
【０００２】
一般的に、複写機、プリンタ、ファクシミリなどの画像形成装置においては、未定着トナー像を担持した被記録用紙を、定着装置の回転可能に軸支された加熱ローラ（定着ローラ）と加圧ローラとにより形成される定着ニップに挟持搬送し、加熱・加圧することにより未定着トナー像を被記録用紙に定着するようにしている。このような加熱方式の定着装置を用いた場合、加熱ローラの表面温度を、定着可能な一定範囲内に維持する必要がある。例えば、小サイズの被記録用紙を加熱ローラに通紙して定着処理をした後、大サイズの被記録用紙を通紙すると、加熱ローラの小サイズの被記録用紙を通紙したときの通紙領域外の温度が高くなる。このように、加熱ローラの温度が高くなると、いわゆる高温オフセットが生じる。また、逆に、加熱ローラの温度が低すぎると、定着不良を生ずるという問題がある。このため、定着ローラの温度を一定に維持することが必要である。
【０００３】
この対策として、例えば、加熱ローラの内部に独立して通電制御が可能な第１のヒータと第２のヒータを設け、これら第１のヒータと第２のヒータの発熱量を、加熱ローラの軸方向の両端部と、それ以外の部分で異なるようにしたものがある。（例えば、特許文献１参照）。
【特許文献１】特開平９−１８５２７５号公報
【発明の開示】
【発明が解決しようとする課題】
【０００４】
ところが、上述の特許文献１記載のものでは、第１のヒータと第２のヒータへの通電を制御するのみであり、自ずとその制御範囲は限られ、通紙サイズの異なる複数種類の被記録用紙に対応して、きめ細かな制御を行うことが困難である等といった問題があった。
【０００５】
本発明は、上述した課題を解決するためになされたものであり、加熱ローラの表面温度を、定着可能な一定範囲内にきめ細かく制御できるようにし、安定した定着性能が維持できる定着装置を提供することを目的とする。
【課題を解決するための手段】
【０００６】
上記目的を達成するために、本発明では、回転可能に軸支された加熱ローラと、加熱ローラに対向して配設され、加熱ローラと共同して定着ニップを形成する回転可能な加圧ローラと、定着ニップ間に挟持搬送される被記録用紙に担持された未定着トナー像を定着させるため、加熱ローラの内部に配設され、当該加熱ローラを加熱する加熱源と、加熱源への通電を制御する制御手段と、を備えた定着装置において、加熱源は、通電されることにより発熱する第１の加熱部材および第２の加熱部材からなるとともに、第１の加熱部材は、加熱ローラの軸方向における中央領域の発熱量よりも、軸方向における端部領域の発熱量が多くなるように形成されるとともに、第２の加熱部材は、軸方向における中央領域の発熱量よりも、軸方向における端部領域の発熱量が少なくなるように形成され、第１の加熱部材および第２の加熱部材への通電は、制御手段により夫々独立して制御されるとともに、第２の加熱部材は、前記定着ニップに対して遠近移動が可能であることを特徴とする。
【０００７】
この構成によれば、加熱源は、加熱ローラの軸方向における発熱量が異なるとともに、夫々独立して制御可能な第１の加熱部材および第２の加熱部材とから構成され、しかも、第２の加熱部材は、定着ニップに対する配設位置が、遠近移動が可能に構成されている。従って、加熱ローラの表面温度を、定着可能な一定範囲内にきめ細かく制御することができるので、安定した定着性能を維持することができる。
【０００８】
ここで、本発明においては、第２の加熱部材を、定着ニップに対して移動可能に支持する移動支持機構を更に備え、移動支持機構は、加熱ローラと同軸上に配設された回転支持軸と、当該回転支持軸に回転可能に軸支された回転支持具と、当該回転支持具を回転駆動する駆動源とから構成され、第２の加熱部材は、回転支持具に支持され、当該回転支持具の回転動作に連動して、第２の加熱部材が、回転支持軸を中心とする円周上を移動するように構成されていることを特徴とする。
【０００９】
この構成によれば、第２の加熱部材は、移動支持機構に支持され、加熱ローラと同軸上に配設された回転支持軸を中心とする円周上を移動するように構成されているので、第２の加熱部材の配設位置は、定着ニップに対して連続的に滑らかに遠近移動することができる。この結果、加熱ローラの表面温度を、定着可能な一定範囲内に、よりきめ細かく制御することができるので、好ましい。
【００１０】
また、本発明においては、加熱ローラの温度を検知する温度検知部を更に備え、温度検知部は、軸方向の中央領域であって、加熱ローラと対向するように定着ニップと反対側に配設された第１の温度センサと、軸方向の中央領域であって、定着ニップの被記録用紙の搬送方向の上流側に配設された第２の温度センサと、軸方向の端部のいずれか一方であって、定着ニップの被記録用紙の搬送方向の上流側に配設された第３の温度センサとから構成され、制御手段は、温度検知部が検知した検知温度に基づいて、第２の加熱部材の定着ニップに対する配設位置を移動するよう移動支持機構を制御するとともに、第１の加熱部材および第２の加熱部材への通電を制御することを特徴とする。
【００１１】
この構成によれば、加熱ローラの中央部と端部における温度を検知し、制御手段は、この検知温度に基づいて、移動支持機構を制御し、第２の加熱部材の定着ニップに対する配設位置を遠近移動するとともに、第１の加熱部材および第２の加熱部材への通電を制御している。この結果、加熱ローラの当該時点における表面温度に対応した温度制御ができるので、好ましい。
【００１２】
また、本発明においては、制御手段は、第３の温度センサにより検知した検知温度から、第２の温度センサにより検知した検知温度を減じ、当該減算した減算値に基づいて第２の加熱部材の定着ニップに対する配設位置と、第１の加熱部材および第２の加熱部材への通電を制御する制御温度とを決定するとともに、第１の温度センサにより検知した検知温度と、第２の温度センサにより検知した検知温度との平均値を求め、当該平均値が制御温度となるように、第１の加熱部材および第２の加熱部材への通電を制御することを特徴とする。
【００１３】
この構成によれば、加熱ローラの中央部と端部における検知温度に基づいて、第２の加熱部材の定着ニップに対する配設位置、および制御温度を決定するとともに、この制御温度となるように、第１の加熱部材および第２の加熱部材への通電を制御している。この結果、加熱ローラの当該時点における表面温度に対応したよりきめ細かな温度制御ができるので、好ましい。
【００１４】
更に、本発明においては、上述したいずれかの構成を有する定着装置を備えたことを特徴とする画像形成装置である。従って、この構成によれば、上述したいずれかの構成を有する定着装置と同じ作用を奏する画像形成装置を得ることができる。
【発明の効果】
【００１５】
本発明の構成によれば、加熱ローラの加熱温度をきめ細かく制御でき、安定した定着性能を維持できる定着装置、およびこの定着装置を備えた画像形成装置を得ることができる。
【発明を実施するための最良の形態】
【００１６】
（実施形態）
以下に、本発明の具体的な実施形態について図１を参照しながら説明する。図１は、本発明の一実施形態に係る定着装置を用いた画像形成装置としての複写機に適用した場合の概略構成を示す概略構成図である。
【００１７】
図１に示すように、この画像形成装置である複写機１は、原稿を自動的に画像読取手段２に搬送する原稿搬送手段３と、原稿の画像情報を読取る画像読取手段２と、被記録用紙Ｐに画像読取手段２により読取った画像を形成する画像形成手段４と、後述する定着装置５と、被記録用紙Ｐが収納された給紙手段６と、を備えている。また、被記録用紙Ｐを画像形成手段４、定着装置５を介して排紙部７１に搬送する用紙搬送手段７が形成されている。
【００１８】
画像読取手段２は、周知の通り、原稿搬送手段３から搬送されてきた原稿が、コンタクトガラス上を通過する際、通過する原稿に、露光ランプから光を照射し、反射鏡を介してその反射光をＣＣＤセンサ等からなる光電変換部に導くことにより、原稿の画像情報を流し読み取る。
【００１９】
原稿搬送手段３は、原稿を載置するための原稿載置台３１と、原稿載置台３１に積載された原稿を給紙する原稿給紙部と、給紙された原稿を搬送するための原稿給紙用搬送路と、読み終えた原稿を、排出する原稿排出部３２等を備えている。
【００２０】
給紙手段６は、被記録用紙Ｐが収容された複数の給紙カセット６１を備えており、給紙ローラ６２の回転動作により、当該複数の給紙カセット６１のうち選択された給紙カセット６１から被記録用紙Ｐが用紙搬送手段７側に送り出されるように構成されている。この構成により、被記録用紙Ｐが１枚ずつ確実に用紙搬送手段７に給紙される。尚、これら給紙カセット６１は、複写機１に対し、着脱自在となるように構成されている。
【００２１】
用紙搬送手段７に給紙された被記録用紙Ｐは、用紙供給経路７２を経由して画像形成手段４に向けて搬送される。この画像形成手段４は、電子写真プロセスによって、被記録用紙Ｐに所定のトナー像を形成するものであり、所定の方向（図中の矢印方向）に回転可能に軸支された像端持体である感光体４１と、この感光体４１の周囲にその回転方向に沿って、帯電装置４２、露光装置４３、現像装置４４、転写装置４５、クリーニング装置４６、及び除電装置４７を備えている。
【００２２】
帯電装置４２は、高電圧が印加される帯電ワイヤを備えており、この帯電ワイヤからのコロナ放電によって感光体４１の表面に所定電位を与えることにより、感光体４１の表面が一様に帯電させられる。そして、露光装置４３により、画像読取手段２によって読み取られた原稿の画像データに基づく光が、感光体４１に照射されることにより、感光体４１の表面電位が選択的に減衰されて、この感光体４１の表面に静電潜像が形成される。次いで、現像装置４４により、静電潜像にトナーが付着し、感光体４１の表面にトナー像が形成され、転写装置４５により、感光体４１の表面のトナー像が、感光体４１と転写装置４５との間に供給された被記録用紙Ｐに転写される。
【００２３】
トナー像が転写された被記録用紙Ｐは、画像形成手段４から定着装置５に向けて搬送される。この定着装置５は、画像形成手段４の用紙搬送方向の下流側に配置されており、画像形成手段４においてトナー像が転写された被記録用紙Ｐは、定着装置５に設けられ、回転可能に軸支された加熱ローラ５１と、加熱ローラ５１に押し付けられる加圧ローラ５２によって形成された定着ニップＮに搬送され、該定着ニップＮにおいて加熱・加圧され、被記録用紙Ｐ上にトナー像が定着される。次いで、画像形成手段４から定着装置５において画像形成がなされた被記録用紙Ｐは、排紙部７１上に排出される。一方、上記転写後、感光体４１の表面に残留しているトナーは、クリーニング装置４６により除去され、感光体４１の表面の残留電荷は、除電装置４７により除去される。そして、感光体４１は帯電装置４２によって再び帯電され、以下同様にして画像形成が行われることになる。
【００２４】
図２は、図１に示す複写機の概略構成を示すブロック図である。複写機１には、画像読取手段２、原稿搬送手段３、画像形成手段４、定着装置５、給紙手段６、用紙搬送手段７、加熱ローラ５１の表面温度を検知する温度検知部８と、後述するように加熱ローラ５１を加熱する加熱源９の第２の加熱部材９２の配設位置を移動可能に支持する移動支持機構１０、各種入力キースイッチ等として機能する操作表示部１１および複写機１全体の制御を司る制御手段１２が備えられている。この制御手段１２によって、後述する定着装置５の加熱ローラ５１の表面温度制御および第２の加熱部材９２の配設位置の移動制御が行われる。操作表示部１１は、印刷指示入力用のプリントキー、印刷枚数などの入力用のテンキーなどからなる操作部１１１と、複写機１で操作可能な各機能、用紙詰まりなどのトラブル状況などを表示する液晶パネルなどの表示装置１１２とを備えている。
【００２５】
制御手段１２には、主演算機能を行う他、複写機１の動作制御用のプログラムなどが記憶されたＲＯＭや、各プログラムの作業領域などとして一時的にデータを保管および画像読取手段２で得られた原稿の画像データを記憶するＲＡＭなどからなる記憶部が内蔵されたマイクロコンピュータなどにより構成されている。制御手段１２には、操作表示部１１の図示しないスタートキーが押圧されると、複写動作を行わせる制御信号を原稿搬送手段３、画像読取手段２、給紙手段６、画像形成手段４、定着装置５、用紙搬送手段７の各ブロックに出力してその動作を制御する。また、制御手段１２は、後述する加熱ローラ５１を加熱する加熱源９への通電を制御するため、および第２の加熱部材９２の配設位置の移動を制御するための各種プログラムや情報、更には収集したデータ等を記憶部に記憶し、制御する。
【００２６】
次に、本発明の特徴部分にかかる定着装置５の加熱ローラ５１の表面温度を検知し、加熱制御する具体的構成について、図３乃至図９および上述した図１、図２を参照しながら説明する。図３は、図１に示す複写機１の定着装置の概略構成を示す平面図、図４は、図３に示す定着装置の斜視図、図５は、図３に示す定着装置の側面図、図６は、図３に示す定着装置の側面断面図、図７は、図３に示す定着装置の要部を拡大した斜視図である。図８は、図２に示す第１の加熱部材の発熱分布の一例を示す発熱分布図、図９は、図２に示す第２の加熱部材の発熱分布の一例を示す発熱分布図である。
【００２７】
図３乃至図７に示すように、加熱ローラ５１の内部に配設され、当該加熱ローラ５１を加熱する加熱源９は、第１の加熱部材９１および第２の加熱部材９２とを備え、これら第１の加熱部材９１および第２の加熱部材９２への通電は、制御手段１２により夫々独立して制御可能に構成されている。また、第２の加熱部材９２は、定着ニップＮに対して当該第２の加熱部材９２の配設位置が、例えば、後述する移動支持機構１０により移動可能に構成されている。
【００２８】
第１の加熱部材９１は、その発熱分布が、例えば、図８に示すように、加熱ローラ５１の軸方向（定着通紙領域Ｌ）における発熱量が、中央部分である中央領域Ｌ１の発熱量よりも端部（中央領域Ｌ１を除く部分）である端部領域Ｌ２の発熱量が多くなるように形成されている。この第１の加熱部材９１は、その両端部が固定支持具１３により支持されている。固定支持具１３は、例えば、複写機１の本体枠体（不図示）に固着されている。
【００２９】
第２の加熱部材９２は、その発熱分布が、例えば、図９に示すように、加熱ローラ５１の軸方向における発熱量が、中央部分である中央領域Ｌ１の発熱量よりも端部である端部領域Ｌ２の発熱量が小さくなるように形成されている。また、この第２の加熱部材９２は、定着ニップＮに対して当該第２の加熱部材９２の配設位置が遠近移動可能となるように、例えば、その両端部が、後述する移動支持機構１０により支持されている。
【００３０】
移動支持機構１０は、加熱ローラ５１と同軸上に配設された回転支持軸１０１と、当該回転支持軸１０１に回転可能に軸支された回転支持具１０２と、当該回転支持具１０２を回転駆動する駆動源１０３とから構成されている。回転支持軸１０１は、例えば、固定支持具１３に植設されている。回転支持具１０２は、例えば、円盤状に形成され、その外周に図示しないがギヤ溝が形成されている。駆動源１０３は、正逆回転が可能な、例えば、ステッピングモータ等が用いられ、前述の制御手段１２からの制御信号に基づいて、その回転が制御される。また、駆動源１０３は、駆動ギヤ１０３ａが設けられ、回転支持具１０２に形成されたギヤ溝と噛合った状態に配設されている。
【００３１】
この移動支持機構１０により、駆動源１０３が回転すると、駆動ギヤ１０３ａが回転し、これに伴って、ギヤ溝が形成された回転支持具１０２が、回転支持軸１０１を中心として回転する。これにより、第２の加熱部材９２は、回転支持軸１０１を中心とする円周上を、図５に矢印で示すように、時計方向または反時計方向に回転移動し、定着ニップＮに対する第２の加熱部材９２の配設位置が遠近移動される。従って、第２の加熱部材９２の配設位置は、定着ニップＮに対して連続的に滑らかに遠近移動することができる。この結果、加熱ローラ５１の表面温度を、定着可能な一定範囲内に、よりきめ細かく制御することができるので、好ましい。
【００３２】
温度検知部８は、加熱ローラ５１の軸方向（定着通紙領域Ｌ）の中央領域Ｌ１であって、加熱ローラ５１の定着ニップＮと反対側に配設された第１の温度センサ８１と、加熱ローラ５１の軸方向の中央領域Ｌ１であって、定着ニップＮの上流側、即ち、被記録用紙Ｐの搬送方向（図３で矢印Ｙで示す）において上流側に配設された第２の温度センサ８２と、加熱ローラ５１の軸方向の端部のいずれか一方であって、定着ニップＮの上流側に配設された第３の温度センサ８３とから構成されている。これら加熱ローラ５１の温度を検知する第１の温度センサ８１、第２の温度センサ８２および第３の温度センサ８３は、例えば、接触式サーミスタ、非接触式サーミスタ、赤外線センサ等を用いることができ、例えば、本体枠体（不図示）に取付けられている。
【００３３】
次に、定着装置５の加熱ローラ５１の表面温度の加熱制御について、図１０および図１１に基づいて説明する。図１０は、本発明の一実施形態に係る複写機の動作を説明するためのフローチャート、図１１は、温度制御テーブルの一例を示す図である。
【００３４】
先ず、ステップＳ１において、複写機１を稼動するために図示しない電源がオンされると、ステップＳ２に移行し、加熱ローラ５１を加熱するための第１のウォーミング・アップが行われる。即ち、加熱ローラ５１の表面温度を定着に適した定着温度、例えば、１８０℃±５℃〜１０℃の範囲内に加熱するため、加熱ローラ５１内に配設された、第１の加熱部材９１および第２の加熱部材９２からなる加熱源９に通電し、加熱する。この加熱により、加熱ローラ５１は加熱され、例えば、第１の温度センサ８１により検知した検知温度Ｔ１と、第２の温度センサ８２により検知した検知温度Ｔ２との平均値Ｔｘが、予め設定した第２のウォーミング・アップを行う所定温度に達すると、加熱ローラ５１と、加圧ローラ５２とは、回転駆動され、第２のウォーミング・アップが行われる。
【００３５】
次に、ステップＳ３において、例えば、前述の平均値Ｔｘが、予め設定した適正な定着温度、例えば、１８０℃に達すると、加熱ローラ５１および加圧ローラ５２の回転駆動は、停止され、ステップＳ４に移行する。ステップＳ４において、画像形成のためのレディー表示が操作表示部１１の表示装置１１２に表示され、複写に関する各種設定の受付が可能となり、例えば、複写指示がないと、一定時間経過後、スタンバイ制御に移行する。その後、ステップＳ５において、操作表示部１１から各種設定がなされ、その後スタートキーが押圧されたことが検出（ステップＳ６でＹｅｓ）されると、ステップ７に移行する。
【００３６】
ステップ７において、第２の温度センサ８２および第３の温度センサ８３により、加熱ローラ５１の軸方向の中央部であって、定着ニップＮの上流側の温度および加熱ローラ５１の軸方向の一方の端部であって、定着ニップＮの上流側の温度を夫々検知し、その検知結果である検知温度Ｔ２、Ｔ３が制御手段１２に伝達される。制御手段１２は、第３の温度センサ８３により検知した検知温度Ｔ３から、第２の温度センサ８２により検知した検知温度Ｔ２を減じる演算（△Ｔ＝Ｔ３−Ｔ２）を行う。そして、制御手段１２は、演算結果である減算値△Ｔ基づき、第２の加熱部材９２の定着ニップＮに対する配設位置を決定し、ステップ８に移行する。この第２の加熱部材９２の定着ニップＮに対する配設位置の決定に際しては、制御手段１２に、例えば、予め、実験結果等に基づいて設定してある図１１に示すような温度制御テーブルを参照することにより行われる。即ち、減算値△Ｔが１０度未満のときは、第２の加熱部材９２の配設位置をａの位置に（図５および図６参照）、減算値△Ｔが１０度以上〜２０度未満のときは、第２の加熱部材９２の配設位置をｂの位置に、また、減算値△Ｔが２０度以上のときは、第２の加熱部材９２の配設位置をｃの位置に、夫々決定する。
【００３７】
ステップ８において、第２の加熱部材９２の配設位置が、ステップ７において決定した配設位置にあるか否かが確認され、第２の加熱部材９２が適切な配設位置にある場合（ステップＳ８でＹｅｓ）には、ステップ１０に移行する。また、第２の加熱部材９２が適切でない配設位置にある場合（ステップＳ８でＮｏ）には、ステップ９に移行し、ステップ９において、制御手段１２は、移動支持機構１０の駆動源１０３に駆動信号を伝達し、第２の加熱部材９２を、適切な配設位置に移動するよう制御する。即ち、駆動源１０３を所定角度回転し、これに伴って駆動ギヤ１０３ａに噛合うギヤ溝が形成された回転支持具１０２は、回転支持軸１０１を中心として所定角度回転する。これにより、第２の加熱部材９２は、回転支持軸１０１を中心とする円周上を、時計方向または反時計方向に回転移動し、適切な配設位置に遠近移動され、その後、ステップ１０に移行する。
【００３８】
ステップ１０において、第１の温度センサ８１により、加熱ローラ５１の軸方向の中央部であって、加熱ローラ５１の定着ニップＮと反対側の位置における温度を検知し、その検知結果である検知温度Ｔ１が制御手段１２に伝達される。制御手段１２は、第１の温度センサ８１により検知した検知温度Ｔ１と、前述の第２の温度センサ８２により検知した検知温度Ｔ２との平均値Ｔｘ（＝（Ｔ１＋Ｔ２）／２）を求める演算を行う。また、制御手段１２は、前述の減算値△Ｔに基づいて、制御温度Ｔ０を決定し、ステップ１１に移行する。この制御温度Ｔ０の決定に際しては、制御手段１２に、例えば、予め、実験結果等に基づいて設定してある図１１に示すような温度制御テーブルを参照することにより行われる。即ち、減算値△Ｔが１０度未満のときは、制御温度Ｔ０を１８２．５度、減算値△Ｔが１０度以上〜２０度未満のときは、制御温度Ｔ０を１８５度、また、減算値△Ｔが２０度以上のときは、制御温度Ｔ０を１８７．５度に、夫々決定する。
【００３９】
ステップ１１において、制御手段１２は、現在設定されている設定制御温度Ｔａがステップ１０において減算値△Ｔを基に決定した制御温度Ｔ０であるか否かが確認され、現在の設定制御温度Ｔａが制御温度Ｔ０である場合（Ｔａ＝Ｔ０、ステップＳ１１でＹｅｓ）には、前述の平均値Ｔｘが制御温度Ｔ０（＝Ｔａ）となるように、第１の加熱部材９１および第２の加熱部材９２への通電のオン・オフ制御を継続して行い、ステップ１３に移行する。また、現在設定されている設定制御温度Ｔａが制御温度Ｔ０でない場合（Ｔａ≠Ｔ０、ステップＳ１１でＮｏ）には、ステップ１２に移行し、設定制御温度Ｔａをステップ１０において減算値△Ｔを基に決定した制御温度Ｔ０に変更し、前述の平均値Ｔｘが制御温度Ｔ０（＝Ｔａ）となるように、第１の加熱部材９１および第２の加熱部材９２への通電のオン・オフ制御を行い、ステップ１３に移行する。
【００４０】
ステップ１３において、制御手段１２からの指示により、例えば、コンタクトガラス上に載置された原稿の画像が、画像読取手段２により読み取られ（ステップＳ１３）、その画像情報が制御手段１２に出力され、制御手段１２に記憶される。これにより、画像読み取り処理を終了し、ステップＳ１４に移行する。
【００４１】
ステップＳ１４により、制御手段１２からの指示に基づき、給紙手段６から被記録用紙Ｐが給紙され、次いでステップＳ１５に移行し、画像形成手段４において、制御手段１２からの画像情報に基づき各種処理を行って、感光体４１に形成されたトナー画像を被記録用紙Ｐに画像転写、その後、ステップ１６に移行し、定着装置５により定着処理を施し、装置本体の排紙部７１から排出される（ステップ１７）。
【００４２】
その後、ステップＳ１８において、制御手段１２により設定された複写枚数（セット数）分の画像形成処理が終了したか否かが確認され、終了していない場合には（ステップＳ１８でＮＯ）、再度、画像形成処理を行うべくステップＳ１３に移行する。終了した場合（ステップＳ１８でＹＥＳ）、複写処理を終了し、レディーモード（ステップＳ５）に移行する。
【００４３】
以上の構成による本実施形態よれば、加熱源９は、加熱ローラ５１の軸方向における発熱量が異なるとともに、夫々独立して制御可能な第１の加熱部材９１と第２の加熱部材９２とから構成され、しかも、第２の加熱部材９２は、定着ニップＮに対する配設位置が遠近移動可能に構成されている。従って、加熱ローラ５１の表面温度を、定着可能な一定範囲内にきめ細かく制御することができるので、安定した定着性能を維持することができる。
【００４４】
また、加熱ローラ５１の中央部と端部における温度を、温度検知部８により夫々検知し、制御手段１２は、この検知温度に基づいて、移動支持機構１０を制御し、第２の加熱部材９２の定着ニップＮに対する配設位置を遠近移動するとともに、第１の加熱部材９１および第２の加熱部材９２への通電を制御している。この結果、加熱ローラ５１の当該時点における表面温度に対応した温度制御ができるので、好ましい。
【００４５】
更に、加熱ローラ５１の中央部と端部における検知温度に基づいて、第２の加熱部材９２の定着ニップＮに対する配設位置、および制御温度Ｔ０を決定するとともに、この制御温度Ｔ０となるように、第１の加熱部材９１および第２の加熱部材９２への通電を制御している。この結果、加熱ローラ５１の当該時点における表面温度に対応したよりきめ細かな温度制御ができるので、好ましい。
【００４６】
なお、上述した実施形態は、本発明の好適な実施形態であるが、本発明はこれに限定されるものではなく、本発明の要旨を逸脱しない範囲において、種々変形実施可能である。
例えば、上述した実施形態では、複写機を例に挙げて説明したが、本発明は、例えば、ファクシミリ装置や、コピー機能、プリンタ機能、スキャナ機能及びファクシミリ機能等の各種機能を兼ね備えた複合機等に対しても適用可能である。
【００４７】
また、上述した実施形態では、ドラム状の感光体４１を使用しているが、感光体４１の形状には限定はなく、上述したドラム状以外の公知の形状を用いることができる。例えば、シート状、ベルト状、ウェブ状等の形状が挙げられる。
【００４８】
また、上述した実施形態では、第２の加熱部材９２の定着ニップＮに対する配設位置の決定と、制御温度Ｔ０の決定とを、夫々異なるステップで行っているが、同一のステップにおいて、第１の温度センサ８１、第２の温度センサ８２および第３の温度センサ８３により、加熱ローラ５１の各部における温度を検知し、この検知温度Ｔ１、Ｔ２、Ｔ３に基づいて、減算値△Ｔおよび平均値Ｔｘを求める演算処理を行い、この演算を基に第２の加熱部材９２の定着ニップＮに対する配設位置の決定と、制御温度Ｔ０の決定を行うようにしても良いのは、勿論である。
【産業上の利用可能性】
【００４９】
本発明の活用例としては、被記録用紙に担持された未定着トナー像を定着する定着装置を備えた画像形成装置が挙げられる。
【図面の簡単な説明】
【００５０】
【図１】本発明の一実施形態に係る定着装置を用いた画像形成装置としての複写機に適用した場合の概略構成を示す概略構成図である。
【図２】図１に示す複写機の概略構成を示すブロック図である。
【図３】図１に示す複写機１の定着装置の概略構成を示す平面図である。
【図４】図３に示す定着装置の斜視図である。
【図５】図３に示す定着装置の側面図である。
【図６】図３に示す定着装置の側面断面図である。
【図７】図３に示す定着装置の要部を拡大した斜視図である。
【図８】図２に示す第１の加熱部材の発熱分布の一例を示す発熱分布図である。
【図９】図２に示す第２の加熱部材の発熱分布の一例を示す発熱分布図である。
【図１０】本発明の実施形態に係る複写機の動作を説明するためのフローチャートである。
【図１１】温度制御テーブルの一例を示す図である。
【符号の説明】
【００５１】
Ｎ…定着ニップ、Ｐ…被記録用紙、Ｌ１…中央領域、Ｌ２…端部領域、Ｔｘ…平均値、△Ｔ…減算値、Ｔ０…制御温度、Ｔ１…検知温度、Ｔ２…検知温度、Ｔ３…検知温度、１…複写機、５…定着装置、８…温度検知部、９…加熱源、１０…移動支持機構、１２…制御手段、５１…加熱ローラ、５２…加圧ローラ、８１…第１の温度センサ、８２…第２の温度センサ、８３…第３の温度センサ、９１…第１の加熱部材、９２…第２の加熱部材、１０１…回転支持軸、１０２…回転支持具、１０３…駆動源
【図１】
2006317707.tif 000003
【図２】
2006317707.tif 000004
【図３】
2006317707.tif 000005
【図４】
2006317707.tif 000006
【図５】
2006317707.tif 000007
【図６】
2006317707.tif 000008
【図７】
2006317707.tif 000009
【図８】
2006317707.tif 000010
【図９】
2006317707.tif 000011
【図１０】
2006317707.tif 000012
【図１１】
2006317707.tif 000013